(57)【要約】【課題】マルチプロジェクションにおいて、マスタープロジェクターとの位置関係が適切なプロジェクター装置をリストから容易に選択できるプロジェクター装置を提供する。【解決手段】プロジェクター装置５Ａは、通信を介して通信相手との位置関係を示す位置情報を取得することにより、プロジェクター装置５Ｂの第１の位置情報およびプロジェクター装置５Ｃの第２の位置情報を取得する位置情報取得部５５と、複数のプロジェクター装置５の中から、少なくとも一つを選択するための選択画面９０を生成する選択画面生成部３４と、選択画面９０を表示する投射部１０と、を有し、選択画面生成部３４は、第１の位置情報および２の位置情報に基づいて、選択画面９０においてプロジェクター装置５Ｂを選択可能に表示する第１の位置と、プロジェクター装置５Ｃを選択可能に表示する第２の位置と、を決定する。【選択図】図２
2018113565.tif 000002
【特許請求の範囲】
【請求項１】
通信を介して通信相手との位置関係を示す位置情報を取得することにより、第１の表示装置の第１の位置情報および第２の表示装置の第２の位置情報を取得する位置情報取得部と、
前記第１の表示装置および前記第２の表示装置を含む複数の表示装置の中から、少なくとも一つを選択するための選択画面を生成する選択画面生成部と、
前記選択画面を表示する表示部と、を有し、
前記選択画面生成部は、前記第１の位置情報および前記第２の位置情報に基づいて、前記選択画面において前記第１の表示装置を選択可能に表示する第１の位置と、前記第２の表示装置を選択可能に表示する第２の位置と、を決定することを特徴とする表示装置。
【請求項２】
請求項１に記載の表示装置において、
前記選択画面生成部は、前記第１の位置情報および前記第２の位置情報に基づいて、前記表示装置から前記第１の表示装置までの距離および前記表示装置から前記第２の表示装置までの距離をそれぞれ取得し、前記第１の表示装置および前記第２の表示装置のうち、前記距離が短い方を優先して前記選択画面に表示すべく、前記第１の位置および前記第２の位置を決定することを特徴とする表示装置。
【請求項３】
請求項２に記載の表示装置において、
前記選択画面生成部は、前記第１の位置情報および前記第２の位置情報に基づいて、前記表示装置を基準とする前記第１の表示装置の所在位置および前記第２の表示装置の所在位置をそれぞれ取得し、前記第１の表示装置の前記距離および前記所在位置を示す情報を前記選択画面の前記第１の位置に関連付けて表示し、前記第２の表示装置の前記距離および前記所在位置を示す情報を前記選択画面の前記第２の位置に関連付けて表示することを特徴とする表示装置。
【請求項４】
請求項２乃至３のいずれかに記載の表示装置において、
前記選択画面は、複数の前記表示装置を前記距離に基づいて並べ替える指示手段を備えることを特徴とする表示装置。
【請求項５】
請求項１に記載の表示装置において、
前記位置情報に基づいて複数の前記表示装置からの距離をそれぞれ取得し、取得した前記距離が所定の基準値よりも短い前記表示装置を選択する制御部を有することを特徴とする表示装置。
【請求項６】
請求項５に記載の表示装置において、
前記制御部は、取得した前記距離が所定の基準値よりも短い場合、前記距離が短い方から順に所定の基準数に達するまで前記表示装置を選択することを特徴とする表示装置。
【請求項７】
請求項１乃至６のいずれか１項に記載の表示装置において、
前記位置情報取得部は、電磁波を伝送媒体として前記通信相手と通信し、前記電磁波の伝播特性に基づいて、前記位置情報を取得することを特徴とする表示装置。
【請求項８】
通信を介して通信相手との位置関係を示す位置情報を取得することにより、第１の表示装置の第１の位置情報および第２の表示装置の第２の位置情報を取得し、
前記第１の位置情報および前記第２の位置情報に基づいて、前記第１の表示装置を選択可能に表示する第１の位置と、前記第２の表示装置を選択可能に表示する第２の位置と、を決定し、
前記第１の表示装置および前記第２の表示装置を含む複数の表示装置の中から、少なくとも一つを選択するための選択画面を前記第１の位置および前記第２の位置に基づいて生成し、
生成した前記選択画面を表示することを特徴とする制御方法。
【発明の詳細な説明】
【技術分野】
【０００１】
本発明は、表示装置および制御方法に関する。
【背景技術】
【０００２】
従来、外部から入力された１つの画像を複数に分割し、分割した複数の分割画像を複数のプロジェクター装置がそれぞれスクリーンに投射し、スクリーン上で合成して１つの画像として表示させるマルチプロジェクションが知られている。
マルチプロジェクションでは、画像を分割する領域を設定し、他のプロジェクター装置を指示するマスタープロジェクターと、マスタープロジェクターからの指示に従うスレーブプロジェクターと、を設定する必要がある。
最初に、マスタープロジェクターとなるプロジェクター装置は、複数のプロジェクター装置の中からスレーブプロジェクターとして設定可能なプロジェクター装置を通信を介して検索する。
【０００３】
例えば、下記特許文献１に示すように、マスタープロジェクターは検索信号をブロードキャストし、検索信号を受信したプロジェクター装置は、検索信号に対する応答信号を返信する。
応答信号を受信したマスタープロジェクターは、応答信号を送信したプロジェクター装置のＩＰアドレス情報を基に、スレーブプロジェクターとして選択可能なプロジェクター装置を開示した。従って、ユーザーは開示されたプロジェクター装置の中から、スレーブプロジェクターとして設定するプロジェクター装置を選択した。
【先行技術文献】
【特許文献】
【０００４】
【特許文献１】特開２００７−４３７２５号公報
【発明の概要】
【発明が解決しようとする課題】
【０００５】
しかしながら、リストはＩＰアドレス情報を基に生成され、マスタープロジェクターからプロジェクター装置までの位置に関する情報はリストに反映されないため、マスタープロジェクターとの位置関係が適切なプロジェクター装置をリストから選択することは困難であった。
本発明は、上述の課題に鑑みてなされたものであり、マルチプロジェクションに参加するプロジェクター装置の選択を容易にすることを目的とする。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる表示装置は、通信を介して通信相手との位置関係を示す位置情報を取得することにより、第１の表示装置の第１の位置情報および第２の表示装置の第２の位置情報を取得する位置情報取得部と、前記第１の表示装置および前記第２の表示装置を含む複数の表示装置の中から、少なくとも一つを選択するための選択画面を生成する選択画面生成部と、前記選択画面を表示する表示部と、を有し、前記選択画面生成部は、前記第１の位置情報および前記第２の位置情報に基づいて、前記選択画面において前記第１の表示装置を選択可能に表示する第１の位置と、前記第２の表示装置を選択可能に表示する第２の位置と、を決定することを特徴とする。
【０００８】
このような構成によれば、通信を介して通信相手との位置関係を示す位置情報を取得することにより、第１の表示装置の第１の位置情報および第２の表示装置の第２の位置情報を取得し、第１の表示装置および第２の表示装置を含む複数の表示装置の中から、少なくとも一つを選択するための選択画面を生成して表示する場合に、選択画面において第１の表示装置を選択可能に表示する第１の位置と、第２の表示装置を選択可能に表示する第２の位置と、を第１の位置情報および第２の位置情報に基づいて決定できる。従って、選択画面において表示される位置は、表示装置の位置情報に基づいて決定されるため、複数の表示装置の中から位置関係を考慮した表示装置を選択画面から容易に選択できる。
【０００９】
［適用例２］
上記適用例にかかる表示装置において、前記選択画面生成部は、前記第１の位置情報および前記第２の位置情報に基づいて、前記表示装置から前記第１の表示装置までの距離および前記表示装置から前記第２の表示装置までの距離をそれぞれ取得し、前記第１の表示装置および前記第２の表示装置のうち、前記距離が短い方を優先して前記選択画面に表示すべく、前記第１の位置および前記第２の位置を決定することが好ましい。
【００１０】
このような構成によれば、選択画面には複数の表示装置の中から、表示装置までの距離が短い表示装置が優先して表示されるため、近くに所在する表示装置の選択が容易になる。
【００１１】
［適用例３］
上記適用例にかかる表示装置において、前記選択画面生成部は、前記第１の位置情報および前記第２の位置情報に基づいて、前記表示装置を基準とする前記第１の表示装置の所在位置および前記第２の表示装置の所在位置をそれぞれ取得し、前記第１の表示装置の前記距離および前記所在位置を示す情報を前記選択画面の前記第１の位置に関連付けて表示し、前記第２の表示装置の前記距離および前記所在位置を示す情報を前記選択画面の前記第２の位置に関連付けて表示することが好ましい。
【００１２】
このような構成によれば、選択画面には、表示装置の距離および表示装置の所在位置を示す情報が、決定された位置に関連付けて表示されるため、距離や所在位置に応じた表示装置の選択が容易になる。
【００１３】
［適用例４］
上記適用例にかかる表示装置において、前記選択画面は、複数の前記表示装置を前記距離に基づいて並べ替える指示手段を備えることが好ましい。
【００１４】
このような構成によれば、選択画面において、複数の表示装置を距離に基づいて並べ替えることができる。
【００１５】
［適用例５］
上記適用例にかかる表示装置において、前記位置情報に基づいて複数の前記表示装置からの距離をそれぞれ取得し、取得した前記距離が所定の基準値よりも短い前記表示装置を選択する制御部を有することが好ましい。
【００１６】
このような構成によれば、取得した距離が所定の基準値よりも短い表示装置を選択できるため、選択画面を生成することなく適切な表示装置を選択できる。
【００１７】
［適用例６］
上記適用例にかかる表示装置において、前記制御部は、取得した前記距離が所定の基準値よりも短い場合、前記距離が短い方から順に所定の基準数に達するまで前記表示装置を選択することが好ましい。
【００１８】
このような構成によれば、取得した距離が所定の基準値よりも短い場合、距離が短い方から順に所定の基準数に達するまで表示装置を選択するため、適切な表示装置を迅速に選択できる。
【００１９】
［適用例７］
上記適用例にかかる表示装置において、前記位置情報取得部は、電磁波を伝送媒体として前記通信相手と通信し、前記電磁波の伝播特性に基づいて、前記位置情報を取得することが好ましい。
【００２０】
このような構成によれば、電磁波の伝播特性に基づいて位置情報を取得するため、位置を精度良く取得できる。
【００２１】
［適用例８］
本適用例にかかる制御方法は、通信を介して通信相手との位置関係を示す位置情報を取得することにより、第１の表示装置の第１の位置情報および第２の表示装置の第２の位置情報を取得し、前記第１の位置情報および前記第２の位置情報に基づいて、前記第１の表示装置を選択可能に表示する第１の位置と、前記第２の表示装置を選択可能に表示する第２の位置と、を決定し、前記第１の表示装置および前記第２の表示装置を含む複数の表示装置の中から、少なくとも一つを選択するための選択画面を前記第１の位置および前記第２の位置に基づいて生成し、生成した前記選択画面を表示することを特徴とする。
【００２２】
このような方法によれば、通信を介して通信相手との位置関係を示す位置情報を取得することにより、第１の表示装置の第１の位置情報および第２の表示装置の第２の位置情報を取得し、第１の表示装置および第２の表示装置を含む複数の表示装置の中から、少なくとも一つを選択するための選択画面を生成して表示する場合に、第１の位置情報および第２の位置情報に基づいて、選択画面において第１の表示装置を選択可能に表示する第１の位置と、第２の表示装置を選択可能に表示する第２の位置と、を決定できる。従って、第１の表示装置および第２の表示装置との位置関係に基づいて、選択画面において表示される位置が決定されるため、複数の表示装置の中から位置関係を考慮した表示装置を選択画面から容易に選択できる。
【図面の簡単な説明】
【００２３】
【図１】実施形態に係る複数のプロジェクター装置によるマルチプロジェクションの概要を示す図。
【図２】プロジェクター装置の構成図。
【図３】マルチプロジェクションを行う場合の処理の流れを示すフローチャート。
【図４】マルチプロジェクションに参加するプロジェクター装置を決定する処理の流れを示すフローチャート。
【図５】表示された選択画面の一例を示す図。
【発明を実施するための形態】
【００２４】
以下、本発明の実施形態について図面を参照して説明する。
【００２５】
（実施形態）
以下、実施形態に係る表示装置について、図面を参照して説明する。
図１は、表示装置の１つであるプロジェクター装置５を複数台用いて投射し、１つの画像を合成する形態（マルチプロジェクションシステム）の概要を示す図である。
この形態では、３台のプロジェクター装置５Ａ，５Ｂ，５Ｃは、それぞれが投射する画像の一部分を分割してスクリーンＳＣに投射する。投射された各画像はスクリーンＳＣ上で合成され、１つの連結画像が形成される。尚、プロジェクター装置５Ｂは第１の表示装置に相当し、プロジェクター装置５Ｃは第２の表示装置に相当する。
プロジェクター装置５Ａ，５Ｂ，５Ｃは、投射する画像の画像データを供給する画像供給装置８５と通信を介してそれぞれ接続されている。画像供給装置８５は、ビデオ再生装置、ＤＶＤ（DigitalVersatileDisk）再生装置、ブルーレイディスク（Blu-ray（登録商標）Disc）再生装置、ハードディスク・レコーダー等を想定する。また、画像供給装置８５は、テレビチューナー装置、ＣＡＴＶ（Cabletelevision）のセットトップボックス、ビデオゲーム装置等の映像出力装置、パーソナルコンピューターであっても良い。
【００２６】
また、プロジェクター装置５Ａ，５Ｂ，５Ｃは、それぞれ無線を介して通信が可能である。
尚、本実施形態では、３台のプロジェクター装置５Ａ，５Ｂ，５Ｃで１つの連結画像を形成しているが、３台以上で構成されていても良い。
図２は、プロジェクター装置５Ａの構成図である。この図２では、４台のプロジェクター装置５Ａ，５Ｂ，５Ｃ，５Ｄでマルチプロジェクションシステムを構成している。プロジェクター装置５Ａ，５Ｂ，５Ｃ，５Ｄは同一の構成であるため、プロジェクター装置５Ａを例示して説明する。
プロジェクター装置５Ａは、画像供給装置８５から画像データを取得するＩ／Ｆ（インターフェイス）部２１を備える。本実施形態では、Ｉ／Ｆ部２１は、ネットワーク８０を介して通信するＬＡＮインターフェイスを想定するがこれには限定されない。例えば、Ｉ／Ｆ部２１は、ＤＶＩインターフェイス、ＵＳＢインターフェイス等を想定できる。また、Ｉ／Ｆ部２１には、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等であっても良い。更に、Ｉ／Ｆ部２１には、ＨＤＭＩ（登録商標）、ＤｉｓｐｌａｙＰｏｒｔ（商標）、ＣｏａＸＰｒｅｓｓ（登録商標）等のインターフェイスも想定できる。
【００２７】
また、Ｉ／Ｆ部２１は、アナログ映像信号をデジタル画像データに変換するＡ／Ｄ変換回路を有し、ＶＧＡ端子等のアナログ映像端子により画像供給装置８５に接続される構成としてもよい。また、Ｉ／Ｆ部２１は、有線通信によって送受信を行ってもよく、無線通信によって送受信を行ってもよい。
プロジェクター装置５Ａは、大きく分けて、光学的な画像を形成し、投射面であるスクリーンＳＣに投射する投射部（表示部）１０と、この投射部１０により表示する画像を電気的に処理する画像処理系とを備える。最初に、投射部１０について説明する。
投射部１０は、光源部１１、光変調装置１２および投射光学系１３を備え、スクリーンＳＣに画像を投射する。
【００２８】
光源部１１は、キセノンランプ、超高圧水銀ランプ、ＬＥＤ（LightEmittingDiode）等からなる光源を備える。また、光源部１１は、光源が発した光を光変調装置１２に導くリフレクター及び補助リフレクターを備える構成としてもよい。また、光源部１１は、投射光の光学特性を高めるためのレンズ群（図示略）、偏光板、又は光源が発した光の光量を光変調装置１２に至る経路上で低減させる調光素子等を備えたものであってもよい。
光変調装置１２は、例えばＲＧＢの三原色に対応した３枚の透過型液晶パネルを備え、この液晶パネルを透過する光を変調して画像光を生成する。光源部１１からの光はＲＧＢの３色の色光に分離され、各色光は対応する各液晶パネルに入射する。各液晶パネルを通過して変調された色光はクロスダイクロイックプリズム等の合成光学系によって合成され、投射光学系１３に射出される。
【００２９】
投射光学系１３は、投射する画像の拡大・縮小及び焦点の調整を行うズームレンズ、フォーカスの調整を行うフォーカス調整機構等を備える。投射光学系１３は、光変調装置１２で変調された画像光をスクリーンＳＣに投射して結像させる。
投射部１０には、光源駆動部２２、光変調装置駆動部２３、投射光学系駆動部２４が接続される。
光源駆動部２２は、制御部３０の制御に従って光源部１１の光源を駆動する。光変調装置駆動部２３は、制御部３０の制御に従って、画像処理部２５から入力される画像データに基づいて光変調装置１２を駆動し、液晶パネルに画像を描画する。投射光学系駆動部２４は、制御部３０の制御に従って、投射光学系１３が備える各モーターを駆動する。
【００３０】
プロジェクター装置５Ａの画像処理系は、プロジェクター装置５Ａを制御する制御部３０を中心に構成され、更に、記憶部５４、画像処理部２５、フレームメモリー２７を備える。
制御部３０は、何れも図示を略した、ＣＰＵ、ＲＯＭ、ＲＡＭ等のハードウェアを備え、ＣＰＵがＲＯＭに記憶した基本制御プログラムや、記憶部５４に記憶された制御プログラムを実行することにより、プロジェクター装置５Ａを制御する。また、制御部３０は、記憶部５４が記憶する制御プログラムを実行することにより、投射制御部３１、光源制御部３２、マルチプロジェクション制御部３３として機能する。投射制御部３１、光源制御部３２およびマルチプロジェクション制御部３３については後述する。
記憶部５４は、フラッシュメモリー、ＥＥＰＲＯＭ等の書き換え可能な不揮発性のメモリーである。記憶部５４は、プロジェクター装置５Ａの動作を制御するための制御プログラムや、プロジェクター装置５Ａの動作条件やマルチプロジェクションを規定する各種設定データ等を記憶する。
【００３１】
画像処理部２５は、制御部３０の制御に従って画像データを取得し、取得した画像データについて、画像サイズや解像度、静止画像か動画像であるか、動画像である場合はフレームレート、３次元画像データであるか等の属性を判定する。
画像処理部２５は、画像データをフレーム毎にフレームメモリー２７に展開し、展開した画像データに対して画像処理を実行する。画像処理部２５が実行する画像処理には、例えば、解像度変換、フレームレート変換、形状補正、ズーム、色調補正、輝度補正等が含まれる。また、画像処理部２５がこれらのうち複数の処理を組み合わせて実行することも勿論可能である。
画像処理部２５が実行する上記の処理の内容、パラメーター、及び処理の開始並びに終了のタイミングは制御部３０により制御される。画像処理部２５は、処理後の画像をフレームメモリー２７から読み出して、この画像に対応するＲ（赤）、Ｇ（緑）およびＢ（青）の画像信号を生成し、光変調装置駆動部２３に出力する。
【００３２】
プロジェクター装置５Ａの本体には、ユーザーが操作を行うための各種スイッチ及びインジケーターランプを備えた操作パネル５１が配置される。操作パネル５１は、入力処理部５３に接続される。入力処理部５３は、制御部３０の制御に従い、プロジェクター装置５Ａの動作状態や設定状態に応じて操作パネル５１のインジケーターランプを適宜点灯又は点滅させる。操作パネル５１のスイッチが操作されると、操作されたスイッチに対応する操作信号が入力処理部５３を介して制御部３０に入力される。
また、プロジェクター装置５Ａは、ユーザーが使用するリモコン５９を有する。リモコン５９は各種のボタンを備えており、これらのボタンの操作に対応して赤外線信号を送信する。プロジェクター装置５Ａの本体には、リモコン５９が発する赤外線信号を受光するリモコン受光部５２が配置される。
リモコン受光部５２は、入力処理部５３に接続される。リモコン受光部５２は、リモコン５９から受光した赤外線信号をデコードして、リモコン５９における操作内容を示す操作信号を生成し、入力処理部５３に出力する。リモコン受光部５２で生成された操作信号は、入力処理部５３を介して制御部３０に入力される。
【００３３】
尚、リモコン５９で指示する場合、設定画面は、投射する画像に重畳させた状態で表示されるオンスクリーンディスプレイ機能を有しても良い。
また、図示は略すが、スマートフォンやタブレット装置からプロジェクター装置５Ａを操作しても良い。即ち、スマートフォン上やタブレット装置上でプロジェクター装置５Ａの操作に関する通信信号を生成し、生成した通信信号はネットワーク８０を経由してＩ／Ｆ部２１から制御部３０に入力されても良い。
プロジェクター装置５Ａは、位置情報取得部５５を有する。位置情報取得部５５は、無線通信部５８を備える。無線通信部５８は、他のプロジェクター装置５Ｂ，５Ｃ，５Ｄとの無線通信により所定の情報を授受する機能を備える。更に、無線通信部５８は、他のプロジェクター装置５Ｂ，５Ｃ，５Ｄと通信を行うことで、他のプロジェクター装置５Ｂ，５Ｃ，５Ｄまでの距離や方向に関する位置パラメーターを取得する機能を備える。
位置情報取得部５５は、無線通信部５８が取得した位置パラメーターに基づいて、他のプロジェクター装置５Ｂ，５Ｃ，５Ｄとの位置関係を示す位置情報を算出する。尚、プロジェクター装置５Ｂの位置情報は第１の位置情報に相当する。また、プロジェクター装置５Ｃの位置情報は第２の位置情報に相当する。
【００３４】
本実施形態では、無線通信部５８は、電磁波を伝送媒体とし、無線ＬＡＮやＢｌｕｅｔｏｏｔｈ（登録商標）等の無線通信を実行する無線通信インターフェイスを想定する。
また、無線通信部５８は、無線ＬＡＮやＢｌｕｅｔｏｏｔｈ（登録商標）で使用される電波の伝播特性を利用して位置パラメーターを取得する。
例えば、位置パラメーターの方向に関する情報は、ＷｉＦｉ（登録商標）の電波を使用したビームフォーミング技術を採用し、アンテナの指向性を利用して方向を特定しても良い。
例えば、プロジェクター装置５Ａは、送信方向を変えて位相の異なる電波を送信し、受信した場所での電波の強弱に基づいて送信元の方法を決定しても良い。また、プロジェクター装置５Ａは、無指向性のアンテナから第１基準信号を送信し、指向性を有するアンテナから第２基準信号を時間経過に応じて送信方向を周期的に切り替えて送信する。プロジェクター装置５Ｂ，５Ｃ，５Ｄは、第１基準信号を受信してから第２基準信号を受信するまでの時間の情報をプロジェクター装置５Ａに送信し、プロジェクター装置５Ａが時間の情報に基づいてプロジェクター装置５Ｂ，５Ｃ，５Ｄの位置する方向を決定しても良い。
【００３５】
また、位置パラメーターの距離に関する情報は、ＷｉＦｉ（登録商標）の電波を使用して位置特定を行うＣｈｒｏｎｏｓ技術を採用しても良い。
また、電波の到達時間に基づく方法、例えば、プロジェクター装置５Ａは第１基準信号を送信し、第１基準信号を受信したプロジェクター装置５Ｂ，５Ｃ，５Ｄが第２基準信号を送信する。このように、プロジェクター装置５Ａが第１基準信号を送信してから第２基準信号を受信するまでに要する時間に基づいて距離を算出しても良い。
また、通信する距離に応じて電波強度が減衰することを利用し、プロジェクター装置５Ｂ，５Ｃ，５Ｄがプロジェクター装置５Ａからの電波信号を受信し、受信した電波信号の強度に基づいて距離を算出しても良い。
光源駆動部２２、光変調装置駆動部２３、投射光学系駆動部２４、画像処理部２５、制御部３０、入力処理部５３、記憶部５４及び位置情報取得部５５は、通信バス２９に接続され、通信バス２９を介して制御部３０とデータ通信を行う。
【００３６】
また、プロジェクター装置５Ａは、輝度測定部５６及び撮影部５７を備える。輝度測定部５６は、スクリーンＳＣの輝度を測定する。輝度測定部５６は、測定したスクリーンＳＣの輝度をあわす輝度情報を制御部３０に出力する。
また、撮影部５７は、スクリーンＳＣを撮影し、撮影した撮影画像を制御部３０に出力する。
次に、制御部３０の機能ブロックの処理について説明する。
投射制御部３１は、入力処理部５３から入力される操作データに基づいて、画像データをスクリーンＳＣに投射するため各部を制御する。例えば、投射制御部３１は、画像処理部２５に画像処理を実行させるためのパラメーターを生成して画像処理部２５に出力する。
光源制御部３２は、画像の投射が開始されると、光源部１１を制御して光源部１１の点灯と消灯とを切り替える。
【００３７】
マルチプロジェクション制御部３３は、選択画面生成部３４と、投射装置決定部３５とを備える。
選択画面生成部３４は、プロジェクター装置５Ａがマスタープロジェクターとしてマルチプロジェクションを行う場合、スレーブプロジェクターとして選択可能なプロジェクター装置５Ｂ，５Ｃ，５Ｄを抽出し、プロジェクター装置５Ｂ，５Ｃ，５Ｄの中から、スレーブプロジェクターを選択するための選択画面９０（図５）を生成する。
選択画面生成部３４は、位置情報取得部５５が算出した他のプロジェクター装置５Ｂ，５Ｃ，５Ｄとの位置情報に基づいて、選択画面９０（図５）を生成する。
例えば、選択画面生成部３４は、プロジェクター装置５Ａからの距離が短い順序で他のプロジェクター装置５Ｂ，５Ｃ，５Ｄをソートし、選択画面９０（図５）を生成しても良い。
【００３８】
選択画面生成部３４が生成した選択画面９０（図５）は、投射画像としてスクリーンＳＣに表示されても良く、操作パネル５１やリモコン５９の表示画面に表示されても良い。また、外部機器であるスマートフォンやタブレット装置の表示画面に表示されても良い。
投射装置決定部３５は、選択画面生成部３４が生成した選択画面９０（図５）での選択結果に基づいて、プロジェクター装置５Ａと分担して投射するスレーブプロジェクターを決定する。
また、マルチプロジェクション制御部３３は、選択画面生成部３４に対して選択画面９０（図５）の生成を指示することなく、所定の条件に合致するプロジェクター装置５をスレーブプロジェクターに自動設定しても良い。
【００３９】
マルチプロジェクション制御部３３は、選択画面生成部３４を制御して、スレーブプロジェクターをユーザーに選択させると共に、ユーザーが選択したスレーブプロジェクターに対してマルチプロジェクションを実行すべく制御する。
例えば、マルチプロジェクション制御部３３は、プロジェクター装置５Ａが投射する所定の画像を、選択されたスレーブプロジェクターに撮影させ、撮影画像を解析して各スレーブプロジェクターが投射する画像の分担を決定し、決定した分担に関する情報を各スレーブプロジェクターに無線通信部５８を介して送信しても良い。
【００４０】
このようなマルチプロジェクションにおいて、各プロジェクター装置５が分担して投射する画像領域を決定する方法は、例えば、特開２０１４−２２８６１７号公報に開示された方法を採用できる。
図３は、複数のプロジェクター装置５でマルチプロジェクションを行う場合の処理の流れを示すフローチャートである。
最初に、マルチプロジェクションとして投射する画像を含むコンテンツが決定される（ステップＳ１００）。本実施形態では、ユーザーが画像供給装置８５を操作して決定しても良い。
次に、マルチプロジェクションに参加するプロジェクター装置５が決定される（ステップＳ２００）。本実施形態では、ユーザーがマスタープロジェクターとなるプロジェクター装置５Ａを操作し、マルチプロジェクションに参加するスレーブプロジェクターを決定する。
ここで、ステップＳ２００の詳細な処理（制御方法）の説明を図４に基づいて説明する。
【００４１】
この処理が実行されると、マスタープロジェクターとなるプロジェクター装置５Ａの制御部３０は、スレーブプロジェクターの決定を自動設定するか、否かを判定する（ステップＳ２０２）。
本実施形態では、自動設定は、ユーザーがプロジェクター装置５Ａを操作して決定する態様を想定する。
最初に、自動設定しない場合（ステップＳ２０２でＮｏ）の処理について説明する。
この場合、プロジェクター装置５Ａの制御部３０は、接続可能なプロジェクター装置５を探索する（ステップＳ２１０）。
本実施形態では、無線通信部５８から所定の探索信号をブロードキャストし、探索信号に対する応答信号を無線通信部５８で受信することにより探索する態様を想定する。
次に、プロジェクター装置５Ａの制御部３０は、探索できたプロジェクター装置５の位置パラメーターや識別情報を取得する（ステップＳ２１２）。
尚、識別情報は、プロジェクター装置５を一意に識別可能な名称やＩＰアドレスを想定する。
次に、プロジェクター装置５Ａの制御部３０は、探索できたプロジェクター装置５の位置パラメーターに基づいて、プロジェクター装置５Ａから見てプロジェクター装置５が所在する方向や距離を算出する（ステップＳ２１４）。
【００４２】
次に、プロジェクター装置５Ａの制御部３０は、算出した距離が短い方のプロジェクター装置５を優先して表示する選択画面９０を生成する（ステップＳ２１６）。例えば、算出した距離が短い順序でプロジェクター装置５を整列させた選択画面９０を生成する。つまり、最も短いプロジェクター装置５を先頭にして、算出した距離が長くなるほど、そのプロジェクター装置５が下位に位置して並んでいくように、プロジェクター装置５を整列させた選択画面９０を生成する（ステップＳ２１６）。そして、生成した選択画面９０を表示する（ステップＳ２１８）。
図５は、表示された選択画面９０の一例を示す。この選択画面９０では、探索できたプロジェクター装置５の名称、ＩＰアドレス、プロジェクター装置５Ａを基準とする位置および距離を表示している。
尚、プロジェクター装置５Ａに関する情報は最上段に表示され、プロジェクター装置５Ａからの距離が短い順序で探索できたプロジェクター装置５が順次表示される。そして、それぞれのプロジェクター装置５が表示される位置に対応付られて、プロジェクター装置５Ａを基準とする、それぞれのプロジェクター装置５の位置及び距離が表示されている。
また、選択画面９０には、表示順序を距離順に並び替えるボタン９２（指示手段に相当）や、表示順序をＩＰ順に並び替えるボタン９４が選択可能に表示される。
【００４３】
また、選択画面９０には、探索できたプロジェクター装置５を選択可能なチェックボックス９１が表示され、ユーザーはチェックボックス９１を操作することで、マルチプロジェクションに参加するプロジェクター装置５を選択できる。
また、選択画面９０には、プロジェクター装置５の探索および選択画面９０の更新を指示する更新ボタン９６、マルチプロジェクションに参加するプロジェクター装置５を決定する設定ボタン９８および選択画面９０の表示を終了する終了ボタン９９が表示される。
ユーザーは、選択画面９０に表示されたプロジェクター装置５をチェックボックス９１で選択し、設定ボタン９８を押下する。図４に戻り、プロジェクター装置５Ａの制御部３０は、マルチプロジェクションに参加するプロジェクター装置５を決定し（ステップＳ２２０）、処理を終了する。
次に、自動設定する場合（ステップＳ２０２でＹｅｓ）の処理について説明する。
【００４４】
この場合、プロジェクター装置５Ａの制御部３０は、予め設定した条件から、マルチプロジェクションに参加するプロジェクター装置５の台数条件や距離条件を取得する（ステップＳ２３０）。
台数条件や距離条件は、例えば、プロジェクター装置５Ａからの距離が短い３台をマルチプロジェクションに参加させる、という条件を想定する。
尚、選択する条件は、距離が基準距離以内の全てをマルチプロジェクションに参加させる、という条件や、距離が基準範囲に収まる最大で４台をマルチプロジェクションに参加させる、という条件も想定できる。また、プロジェクター装置５Ａから見て所在する方向を条件として加えても良い。
次に、プロジェクター装置５Ａの制御部３０は、接続が可能なプロジェクター装置５を探索する（ステップＳ２３２）。
次に、プロジェクター装置５Ａの制御部３０は、探索できたプロジェクター装置５の位置パラメーターや識別情報を取得する（ステップＳ２３４）。
【００４５】
次に、プロジェクター装置５Ａの制御部３０は、探索できたプロジェクター装置５の位置パラメーターに基づいて、プロジェクター装置５Ａから見てプロジェクター装置５が所在する方向や距離を算出する（ステップＳ２３６）。
次に、プロジェクター装置５Ａの制御部３０は、算出した距離が短い順序でプロジェクター装置５を並び替える（ステップＳ２３８）。
次に、プロジェクター装置５Ａの制御部３０は、算出した距離が短い順に台数条件に達するまでマルチプロジェクションに参加するプロジェクター装置５に決定し（ステップＳ２４０）、処理を終了する。
以上の処理により、マルチプロジェクションに参加するプロジェクター装置５を２つの方法により決定できる。
図３に戻り、ステップＳ２００で決定されたプロジェクター装置５がコンテンツを分割して投射し、スクリーンＳＣ上で合成されることでコンテンツの連結画像が表示される（ステップＳ３００）。
【００４６】
尚、マルチプロジェクションに参加するプロジェクター装置５、即ち、マスタープロジェクターとなるプロジェクター装置５Ａと、スレーブプロジェクターとなるプロジェクター装置（例えば、５Ｂ，５Ｃ）との距離や方向を示す位置関係は、ステップＳ２００で算出されるため、ステップＳ３００において分割投射する場合に位置関係を改めて取得する必要はなく、マルチプロジェクションの準備を迅速にできる。
【００４７】
以上述べた実施形態によれば、以下のような効果を奏する。
（１）通信を介して通信相手との位置関係を示す位置情報を取得することにより、プロジェクター装置５の位置情報を取得し、複数のプロジェクター装置５の中から、少なくとも一つを選択するための選択画面９０を生成して表示する場合に、選択画面９０においてプロジェクター装置５を選択可能に表示する位置を位置情報に基づいて決定できる。従って、プロジェクター装置５との位置関係に基づいて、選択画面９０において表示される位置が決定されるため、複数のプロジェクター装置５の中から位置関係を考慮したプロジェクター装置５を、表示された選択画面９０から容易に選択できる。
（２）選択画面９０には複数のプロジェクター装置５の中から距離が短いプロジェクター装置５が優先して表示されるため、近くに所在するプロジェクター装置５の選択が容易になる。
【００４８】
（３）選択画面９０には、プロジェクター装置５までの距離および所在位置を示す情報が決定された位置に関連付けて表示されるため、距離や所在位置に応じたプロジェクター装置５の選択が容易になる。
（４）選択画面９０において、複数のプロジェクター装置５を距離に基づいて並べ替えることができる。
（５）算出した距離が所定の基準値よりも短い場合、そのプロジェクター装置５を選択することで、選択画面９０を生成する処理が不要になり、プロジェクター装置５を迅速に選択できる。
（６）算出した距離が所定の基準値よりも短い場合、距離が短い方から順に所定の基準数に達するまでプロジェクター装置５を選択することで、マルチプロジェクションに好適なプロジェクター装置５を容易に選択できる。
【００４９】
以上、本発明を図示した実施形態に基づいて説明したが、本発明は、本実施形態に限定されるものではなく、以下に述べるような変形例も想定できる。
（１）プロジェクター装置５の位置や距離に関する情報に加えて、投射光学系１３が向いている投射方向を取得し、選択画面９０に表示しても良い。
（２）プロジェクター装置５は、液晶パネルを用いた方式には限定されず、ＤＬＰ（Ｄｉｇｉｔａｌ  Ｌｉｇｈｔ  Ｐｒｏｃｅｓｓｉｎｇ）方式やＬＣＯＳ（Ｌｉｑｕｉｄ  Ｃｒｙｓｔａｌ  Ｏｎ  Ｓｃｒｅｅｎ）方式等の他の方式も想定できる。
【００５０】
（３）表示装置は、スクリーンＳＣに画像を投射するプロジェクター装置５に限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明に含まれる。
【００５１】
また、以上のような手法を実施する装置は、単独の装置によって実現される場合もあれば、複数の装置を組み合わせることによって実現される場合もあり、各種の態様を含むものである。
また、図２に示した制御部３０の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。
【符号の説明】
【００５２】
５，５Ａ，５Ｂ，５Ｃ，５Ｄ…プロジェクター装置、１０…投射部、１１…光源部、１２…光変調装置、１３…投射光学系、２１…Ｉ／Ｆ部、２２…光源駆動部、２３…光変調装置駆動部、２４…投射光学系駆動部、２５…画像処理部、２７…フレームメモリー、２９…通信バス、３０…制御部、３１…投射制御部、３２…光源制御部、３３…マルチプロジェクション制御部、３４…選択画面生成部、３５…投射装置決定部、５１…操作パネル、５２…リモコン受光部、５３…入力処理部、５４…記憶部、５５…位置情報取得部、５６…輝度測定部、５７…撮影部、５８…無線通信部、５９…リモコン、８０…ネットワーク、８５…画像供給装置、９０…選択画面、９１…チェックボックス、９２…距離順に並び替えるボタン、９４…ＩＰ順に並び替えるボタン、９６…更新ボタン、９８…設定ボタン、９９…終了ボタン。
【図１】
2018113565.tif 000003
【図２】
2018113565.tif 000004
【図３】
2018113565.tif 000005
【図４】
2018113565.tif 000006
【図５】
2018113565.tif 000007